Podtech/llm-jp-corpus-v4-ja_patent huggingface dataset:
【手続補正書】
【提出日】令和2年1月16日(2020.1.16)
【手続補正１】
【補正対象書類名】特許請求の範囲
【補正対象項目名】全文
【補正方法】変更
【補正の内容】
【特許請求の範囲】
【請求項１】
遊技が可能な遊技機であって、
金属固定部を有する特定電子部品が少なくとも実装され、実装される各電子部品を電気接続するための配線パターンが形成された基板を有し、
前記基板に、前記金属固定部を低温溶融金属にて固定するための部品固定部が形成されており、
前記部品固定部は、前記配線パターンのいずれかに電気接続されており、
さらに、
設定値を変更するための設定変更許可状態に制御可能であり、
前記設定変更許可状態の制御の開始に対応して特定信号の出力を開始し、
前記設定変更許可状態の終了に対応して特定信号の出力を停止し、
前記設定変更許可状態の制御に対応した特定信号の出力期間は、所定期間より長い、
ことを特徴とする遊技機。
【手続補正２】
【補正対象書類名】明細書
【補正対象項目名】０００６
【補正方法】変更
【補正の内容】
【０００６】
手段Ａの遊技機は、
遊技が可能な遊技機であって、
金属固定部を有する特定電子部品が少なくとも実装され、実装される各電子部品を電気接続するための配線パターンが形成された基板を有し、
前記基板に、前記金属固定部を低温溶融金属にて固定するための部品固定部が形成されており、
前記部品固定部は、前記配線パターンのいずれかに電気接続されており、
さらに、
設定値を変更するための設定変更許可状態に制御可能であり、
前記設定変更許可状態の制御の開始に対応して特定信号の出力を開始し、
前記設定変更許可状態の終了に対応して特定信号の出力を停止し、
前記設定変更許可状態の制御に対応した特定信号の出力期間は、所定期間より長い、
ことを特徴とする。
さらに、手段１の遊技機は、
前記課題を解決するために、本発明の手段１に記載の遊技機は、
遊技が可能な遊技機（例えば、パチンコ遊技機１）であって、
金属固定部（例えば、金属固定部６５１）を有する特定電子部品（例えば、コネクタ）が少なくとも実装され、実装される各電子部品を電気接続するための配線パターンが形成された基板（例えば、ＬＥＤ基板２７５）を有し、
前記基板には、前記金属固定部を低温溶融金属（例えば、半田）にて固定するための部品固定部（例えば、固定パッドＰ）が形成されており、
前記部品固定部は、前記配線パターン（例えば、ＧＮＤパターン）のいずれかに電気接続されており、
さらに、
遊技者にとって有利な有利状態（例えば大当り遊技状態）に制御されることを示唆する示唆演出（例えばリーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能である（例えば図５５（Ｄ）、（Ｆ））
ことを特徴としている。
この特徴によれば、部品固定部を配線パターンの一部として形成することができるため、部品固定部を配線パターンとは個別に設ける必要がないので、固定部の面積を確保しつつ、配線パターンを良好に設けることができる。また、演出効果を高めることができる。
ことを特徴とする。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
底部を備えるバケツ本体と、
前記バケツ本体の前記底部に装着されるスピン装置と
を含む折り畳み式フラットモップ用スピン洗浄バケツであって、
前記スピン装置がスピン部材及び一対の隔壁部材を含み、前記スピン部材が軸を中心に前記底部で旋回するものであり、各々の前記隔壁部材が互いに離間されるように前記スピン装置の上表面に周設され、一対の前記隔壁部材が前記スピン部材の上表面から上方向に伸び、各々の前記隔壁部材が互いに離間されたことで担持凹部を形成して一対の担持凹部を構成し、
一対の前記担持凹部が折曲状態の前記折り畳み式フラットモップを一対の前記担持凹部の中に担持するように担持し、上方向折曲状態の前記折り畳み式フラットモップの両側の翼板がそれぞれ一対の前記担持凹部から突出して、前記翼板の底部に設置された清掃部材が外側に向いて前記スピン装置の外に露出し、上方向折曲状態の前記折り畳み式フラットモップが旋回する場合、前記折り畳み式フラットモップの旋回力に連動されることよって前記スピン装置が前記バケツ本体の中で旋回することを特徴とする折り畳み式フラットモップ用スピン洗浄バケツ。
【請求項２】
前記バケツ本体がリングフレーム部材を有し、前記リングフレーム部材が前記バケツ本体の上周縁に設置されるものであり、前記リングフレーム部材が通し穴を有し、前記折り畳み式フラットモップが前記バケツ本体の外から、前記通し穴を通過して前記バケツ本体に押し込まれる場合、前記折り畳み式フラットモップが前記リングフレーム部材に当接されることによって折曲されることを特徴とする請求項１に記載の折り畳み式フラットモップ用スピン洗浄バケツ。
【請求項３】
前記スピン装置が折曲された前記折り畳み式フラットモップを納置する納置座を有し、前記納置座が一対の挿設部を有し、一対の前記挿設部が一対の前記隔壁部材に挿設されることで、前記納置座が一対の前記隔壁部材に対して多数の停止位置の間にシフトされることを特徴とする請求項１に記載の折り畳み式フラットモップ用スピン洗浄バケツ。
【請求項４】
前記納置座の各側面にシフト凹部を有し、一対の前記隔壁部材の各内周面に定位凹部を有し、ローラーが前記シフト凹部と前記定位凹部の中に設置されることで、前記納置座が前記隔壁部材に対して縦方向に移動されるものであり、前記定位凹部が連続的に延ばされた複数の凹部からなり、順次に縦方向凹部、ガイド凹部、停留凹部及び復帰ガイド凹部を含み、前記復帰ガイド凹部が前記ローラーを前記ガイド凹部から前記縦方向凹部へ復帰させるために延ばされたものであり、前記ローラーが前記シフト凹部と前記定位凹部の中にシフトされることによって、前記納置座を第一停止位置及び第二停止位置に止めさせるものであって、
（1）前記第一停止位置：前記折り畳み式フラットモップが前記納置座を下に押さえる時、前記納置座の降下によって、前記ローラーが前記縦方向凹部を通して前記縦方向凹部の底側へ降りながら前記納置座が前記バケツ本体の前記底部まで至ることで、前記納置座を前記第一停止位置で停止させ、
（2）前記第二停止位置：前記折り畳み式フラットモップが前記納置座を上に持ち上げる時、前記納置座の上昇によって、前記ローラーが前記縦方向凹部の前記底側から上に昇り、前記ガイド凹部を経由しながら前記停留凹部まで至ることで、前記納置座を前記第二停止位置で停止させ、
（3）前記第二停止位置から前記第一停止位置へ帰還：前記納置座が前記第二停止位置で停止する間、前記折り畳み式フラットモップと前記納置座を上に持ち上げることにつれて、前記ローラーが持ち上げられるが、前記ローラーが前記復帰ガイド凹部を通ると下向きに変え、前記縦方向凹部を通過し、前記縦方向凹部の底側へ向かって降り、前記納置座を前記バケツ本体の前記底部まで移動させることで、前記納置座を前記第一停止位置へ戻すことを特徴とする請求項２に記載の折り畳み式フラットモップ用スピン洗浄バケツ。
【請求項５】
前記スピン装置が複数のものであり、前記バケツ本体の前記底部に装着され、少なくとも二つの前記スピン装置が異なる高さを有することを特徴とする請求項１に記載の折り畳み式フラットモップ用スピン洗浄バケツ。
【請求項６】
複数の前記スピン装置の間が仕切部材によって相互に分離されることを特徴とする請求項５に記載の折り畳み式フラットモップ用スピン洗浄バケツ。
【請求項７】
前記折り畳み式フラットモップが同期折り畳みフラットモップであり、前記同期折り畳みフラットモップの二つの前記翼板が同期折曲可能なものであり、前記バケツ本体を離脱する場合、前記折り畳み式フラットモップが自らの旋回の遠心力によって折曲状態から展開状態になることを特徴とする請求項１に記載の折り畳み式フラットモップ用スピン洗浄バケツ。
【手続補正２】
【補正対象書類名】明細書
【補正対象項目名】０００２
【補正方法】変更
【補正の内容】
【０００２】
図８に示すように、折り畳み式フラットモップＴは、従来の円形や四角形モップと比較すれば新型のモップである。折り畳み式フラットモップＴは、二つの翼板を有し、この二つの翼板が互いに折り曲げ且つ展開することができる。各翼板の下底面には布などの清掃条が付けられる清掃部材Ｍが設置されている。この清掃部材Ｍは、交換可能なのでモップの使用寿命が延ばされる。折り曲げられないモップ、例えば円盤式モップ（図１０に示す）に対して、折り畳み式フラットモップＴは、翼板展開時の清掃部材が従来の円形モップより広いメリットがあって、翼板折り曲げ時の収容便利のメリットもある。それに、折り畳み式フラットモップＴは、違う寸法の清掃部材を交換することができる。例えば、横に長い清掃部材は、広い範囲の掃除に効率がよく、横に短い清掃部材は、力が省けるというようにそれぞれのニーズによって様々な清掃部材が選べる。しかし、折り畳み式フラットモップＴは、上述のような使い易さと省スペース性をもたらしているが、従来の技術では、折り畳み式フラットモップＴを好適に使える洗浄バケツはなく、特に、折り畳み式フラットモップＴの洗浄効果及び便利性を強化するための洗浄バケツはなかった。（先行技術文献として、特許文献１：ＵＳ２００６／００４８３３０  Ａ１が挙げられる。）
【手続補正書】
【提出日】令和2年9月25日(2020.9.25)
【手続補正１】
【補正対象書類名】特許請求の範囲
【補正対象項目名】全文
【補正方法】変更
【補正の内容】
【特許請求の範囲】
【請求項１】
マウスピースの作製方法であって、印象採得工程、被蓋状態の確認工程、及びマウスピース成形工程を含むことを特徴とする、マウスピースの作製方法であって、
該印象採得工程が、被験者の上顎又は下顎の歯列等（歯列及び口腔周囲組織）の情報を取得する工程、及び採得した歯列等の情報に基づき歯列等の模型を作製する工程を含むことを特徴とし、
該被蓋状態の確認工程が、
（１）被験者が水平面上に立位又は座位で静止する工程、
（２）被験者が身体を静止させ上顎と下顎の歯が接触していない状態でリラックスする工程、
（３）被験者が、水平面に対する垂直軸に対して頭位を３０〜６０°後方に、好ましくは４５〜５０°後方に反らす工程、
（４）被験者が、工程（３）の姿勢を維持しながら、上顎と下顎の歯が接触していない状態でリラックスした状態を１５〜３０秒維持する工程、
（５）被験者が、工程（４）の後に、工程（３）の姿勢を維持しながら、頭位を工程（２）の際と同じ頭位へ戻しながら、目線を水平面から約５°〜１５°程度下方へ落とす工程、
及び（６）被験者の安静位における上顎及び下顎の前歯の被蓋状態（アンテリアカップリング）を確認する工程
を含むことを特徴とする、マウスピースの作製方法。
【請求項２】
請求項１のマウスピースの作製方法であって、該マウスピース成形工程において、バイト材を用いることを特徴とする、マウスピースの作製方法。
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
遊技進行の制御を行う主制御基板と、
演出制御を行う周辺制御基板と、
前記周辺制御基板から送信された制御データに基づいて、演出部を制御する制御基板と、を備え、
前記周辺制御基板と前記制御基板とが、前記制御データを通信接続するために接続され、
前記周辺制御基板は、前記制御基板に前記制御データを出力する制御データ出力手段を有し、
前記主制御基板は、第１駆動源と電気的に接続されて、該第１駆動源を駆動する第１ドライバ回路部を備え、
前記制御基板は、第２駆動源と電気的に接続されて、該第２駆動源を駆動する第２ドライバ回路部を備えた遊技機であって、
前記第２ドライバ回路部によって駆動される前記第２駆動源は、前記制御基板上に設けられている所定の電流を超える電流が流れることにより電流を阻止可能とする電流阻止部品を介して、前記第２駆動源と接続される駆動源用電源ラインを通じて、前記主制御基板と電気的に接続されている前記第１駆動源への供給電圧と同電位の駆動源用電源が供給される、
ことを特徴とする遊技機。
【手続補正２】
【補正対象書類名】明細書
【補正対象項目名】０００６
【補正方法】変更
【補正の内容】
【０００６】
大きな電流が流れ込むことによって、モータが破損するのみならず、ドライバに大きな電流が流れ込むことでドライバが破損したり、破損により発生する熱による影響も生じえるという問題もある。このことで、２次的な故障の原因にもなる。
【手続補正３】
【補正対象書類名】明細書
【補正対象項目名】０００７
【補正方法】変更
【補正の内容】
【０００７】
そこで、本発明が解決しようとする課題は、このような事情を鑑みてなされたものであり、その目的は、演出側の駆動源に大電流が流れ込むときに２次的な故障を回避することを可能とする遊技機を提供することにある。
【手続補正４】
【補正対象書類名】明細書
【補正対象項目名】０００８
【補正方法】変更
【補正の内容】
【０００８】
［解決手段１］に係る遊技機は、上記課題を解決するために、
遊技進行の制御を行う主制御基板と、
演出制御を行う周辺制御基板と、
前記周辺制御基板から送信された制御データに基づいて、演出部を制御する制御基板と、を備え、
前記周辺制御基板と前記制御基板とが、前記制御データを通信接続するために接続され、
前記周辺制御基板は、前記制御基板に前記制御データを出力する制御データ出力手段を有し、
前記主制御基板は、第１駆動源と電気的に接続されて、該第１駆動源を駆動する第１ドライバ回路部を備え、
前記制御基板は、第２駆動源と電気的に接続されて、該第２駆動源を駆動する第２ドライバ回路部を備えた遊技機であって、
前記第２ドライバ回路部によって駆動される前記第２駆動源は、前記制御基板上に設けられている所定の電流を超える電流が流れることにより電流を阻止可能とする電流阻止部品を介して、前記第２駆動源と接続される駆動源用電源ラインを通じて、前記主制御基板と電気的に接続されている前記第１駆動源への供給電圧と同電位の駆動源用電源が供給される、
ことを特徴とする。
【手続補正５】
【補正対象書類名】明細書
【補正対象項目名】０００９
【補正方法】変更
【補正の内容】
【０００９】
［解決手段１］の遊技機によれば、演出側の駆動源が破損した場合に破損した演出側の駆動源に対応する電源ラインに過電流が流れたときに、この電源ラインに対応するヒューズは、他回路部が破損するよりも前に切れる。よって、演出側の駆動源が破損した場合においても、他回路部の破損を回避することができる。
【手続補正６】
【補正対象書類名】明細書
【補正対象項目名】００１２
【補正方法】変更
【補正の内容】
【００１２】
本発明の遊技機によれば、演出側の駆動源が破損した場合においても、２次的な故障を回避することができる。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
遊技球を用いた遊技が可能な遊技機であって、
遊技球を貯留可能な上皿と、
前記上皿の下方に設けられる下皿と、
遊技者が操作可能な演出操作部と、
所定条件の成立に基づいて前記演出操作部を振動させる振動部と、を有し、
前記振動部は、前記下皿の側方であり、且つ、前記上皿よりも前記下皿に近い位置に配置される
ことを特徴とする遊技機。
【手続補正２】
【補正対象書類名】明細書
【補正対象項目名】０００２
【補正方法】変更
【補正の内容】
【０００２】
従来の遊技機は、正面視における遊技領域の下方に、遊技領域内に打込むための遊技媒体が貯留される上皿と、上皿の下側に配置され遊技媒体が貯留される下皿とを備えている（例えば、特許文献１）。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】変更
【補正の内容】
【０００４】
【特許文献１】特開２００５−２４５６８１号公報
【手続補正５】
【補正対象書類名】明細書
【補正対象項目名】０００５
【補正方法】変更
【補正の内容】
【０００５】
しかしながら、このような遊技機においては、下皿を搭載するうえでより好適なものが求められている。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、下皿に関してより好適な構成を提案するものである。
【手続補正８】
【補正対象書類名】明細書
【補正対象項目名】０００８
【補正方法】変更
【補正の内容】
【０００８】
本発明は、
遊技球を用いた遊技が可能な遊技機であって、
遊技球を貯留可能な上皿（上皿３２１）と、
前記上皿の下方に設けられる下皿（下皿３２２）と、
遊技者が操作可能な演出操作部（演出操作ユニット４００）と、
所定条件の成立に基づいて前記演出操作部を振動させる振動部（振動モータ４２４）と、を有し、
前記振動部は、前記下皿の側方であり、且つ、前記上皿よりも前記下皿に近い位置に配置される
ことを特徴とする。
これにより、下皿を操作している遊技者に対して演出に伴う振動を好適に体感させることができる（図２１や図５１参照）。
また、本発明とは別の発明として、以下の手段を参考的に開示する。
［解決手段１］に係る遊技機は、上記課題を解決するために、
演出制御を行う周辺制御基板と、
前記周辺制御基板から送信された制御データに基づいて、演出部を制御する制御基板と、を備え、
前記周辺制御基板と前記制御基板とが、前記制御データを通信接続するために接続され、
前記周辺制御基板は、前記制御基板にシリアル信号にて前記制御データを出力するシリアル制御データ出力手段を有し、
前記制御基板は、それぞれ駆動源と接続されて、該駆動源を駆動すると共にシフトレジスタ機能を有する複数のドライバ回路部を備えた遊技機であって、
前記複数のドライバ回路部は、初段から最終段に亘ってデイジーチェーン接続されており、
前記複数のドライバ回路部によって駆動される前記駆動源のそれぞれは、前記駆動源と接続される駆動源用電源ラインを通じて駆動源用電源が供給され、かつそれぞれ、所定の作動電源が供給される作動電源ラインと前記駆動源用電源ラインとの間がヒューズで接続されている
ことを特徴とする。
【手続補正９】
【補正対象書類名】明細書
【補正対象項目名】００１７
【補正方法】変更
【補正の内容】
【００１７】
本発明によれば、好適な下皿を備えた遊技機を提供することができる。
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
患者の睡眠呼吸障害を治療するように構成された患者用インタフェースであって、
エルボーに接続するように構成された中央孔を有するフレームと、
前記フレーム上に支持され、加圧されたガスを受け取るように構成された呼吸チャンバを規定するクッションと、
前記患者の顔上で前記クッションおよび前記フレームを支持するように構成されたヘッドギアアセンブリであって、一対のＹ字状フロントストラップと、前記一対のＹ字状フロントストラップのそれぞれに取り付けられた一対のＹ字状剛性部とを備える、ヘッドギアアセンブリとを備え、
各々のＹ字状剛性部は前記フレームに接続され、前記一対のＹ字状フロントストラップのそれぞれに剛性を与え、
各々のＹ字状フロントストラップおよび各々のＹ字状剛性部は、前記Ｙ字の交差部から伸びている上端部をそれぞれ有し、使用時に前記患者のこめかみの領域に沿って伸びるように構成され、
各々のＹ字状フロントストラップおよび各々のＹ字状剛性部は、前記Ｙ字の前記交差部から下向きに伸びている背面端部をそれぞれ有し、使用時に前記患者の耳に隣接して伸びるように構成される、
患者用インタフェース。
【請求項２】
前記ヘッドギアアセンブリはさらに、トップストラップと、背面ストラップから上の方に伸びている背面ストラップとを備える、請求項１に記載の患者用インタフェース。
【請求項３】
前記Ｙ字状フロントストラップのそれぞれの前記背面端部は、前記背面ストラップに接続され、
前記Ｙ字状フロントストラップのそれぞれの前記上端部は、前記トップストラップに接続される、請求項２に記載の患者用インタフェース。
【請求項４】
各々のＹ字状剛性部は、前記患者の目の下で前記フレームと接続する、請求項１から３の何れか一項に記載の患者用インタフェース。
【請求項５】
前記Ｙ字状剛性部は、前記Ｙ字状剛性部が前記フレームに接続されたときに、前記患者の頭に対して自身の位置を維持するように構成される、請求項１から４の何れか一項に記載の患者用インタフェース。
【請求項６】
前記患者用インタフェースは、額支持部を備えない、請求項１から５の何れか一項に記載の患者用インタフェース。
【請求項７】
前記Ｙ字状剛性部は、異なる方向において異なる剛性を有する、請求項１から６の何れか一項に記載の患者用インタフェース。
【請求項８】
前記Ｙ字状フロントストラップは、前記Ｙ字状剛性部によって提供される前記剛性によって所定の形状を維持することが可能である、請求項１から７の何れか一項に記載の患者用インタフェース。
【請求項９】
前記患者用インタフェースは鼻用マスクである、請求項１から８の何れか一項に記載の患者用インタフェース。
【請求項１０】
前記Ｙ字状剛性部は、前記Ｙ字状フロントストラップよりも幅が狭い、請求項１から９の何れか一項に記載の患者用インタフェース。
【請求項１１】
前記Ｙ字状フロントストラップは、層状の繊維および発泡体から形成される、請求項１から１０の何れか一項に記載の患者用インタフェース。
【手続補正２】
【補正対象書類名】明細書
【補正対象項目名】０００３
【補正方法】変更
【補正の内容】
【０００３】
OSAの治療のためのnCPAPの応用は、サリバンによって米国特許第4,944,310号において教示されている。この米国特許をここに完全に援用する。OSAのｎCPAP治療では、加圧された空気あるいは他の呼吸可能なガスを大気圧よりも上に上げた圧力、典型的には４〜２０ｃｍＨ２Ｏで患者の気道入口に供給して、患者の上側の気道を押し開いて無呼吸を防ぐ。
【手続補正３】
【補正対象書類名】明細書
【補正対象項目名】００９７
【補正方法】変更
【補正の内容】
【００９７】
他の利点は、患者に対するクッションの角度を封止効率に悪影響を及ぼすことなく変えることができるということである。例えば、クッションを患者の顔の形状に基づいて異なる角度で異なる患者に接触させてもよく、患者が眠っている時の動いている間は顔に対してクッションの角度を動かすことができる。密閉素子（例えば膜２０５）は、大きな実質的に反転した部分（大きな半径）を有しており、患者の顔に対するマスクのある程度の動きあるいは回転を可能にし、膜の遠い側の縁が患者の顔および／または鼻を刺激することを防ぐ。この密閉素子（例えば膜）は、鼻の側部で鼻梁の下側の部分の周りに適合することによって鼻に対してしっかりと密閉する。強固な密閉と膜の緊張／鼻を横切っての引き伸ばしとの間で妥協に達しなければならない。膜に、縁の堅固さなしで最大引き伸ばし距離を可能にするように切り込みを入れることもできる。引き伸ばしは、材料によっても実現され、例えばより柔らかい材料および／あるいはより薄い材料、例えばエラストマー、シリコーン、ポリウレタン、熱可塑性エラストマー、発泡性エラストマーおよび／あるいは混合物によって実現することができる。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部は、前記周壁部から前記遊技板の厚さよりも薄い厚さで延出され、前記周壁部および前記フランジ部とともに一体成形されており、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする遊技機。
【手続補正２】
【補正対象書類名】明細書
【補正対象項目名】０００７
【補正方法】変更
【補正の内容】
【０００７】
上記課題を解決するために本発明の遊技機は、
遊技板の開口部の周縁部に対して取り付けられるセンター役物を具備し、
前記センター役物は、
遊技媒体が流通可能な流通領域と流通不能な非流通領域とに区画する周壁部と、
前記周壁部から前記非流通領域側へと延出する延設部と、を有して構成され、
前記延設部が前記遊技板の前面と前後方向において同じ位置で前記周壁部から前記非流通領域側へと延出され、該延設部と前記遊技板の前面とが当接して前記遊技板に取り付けられており、
前記センター役物は、前記周壁部から前記流通領域側へと延出されて前記遊技板の前面と当接するフランジ部を該周壁部の一部に有し、前記延設部の一部と前記フランジ部の一部とによって前記周壁部が挟まれる箇所が設けられており、
前記延設部は遊技者が視認可能に設けられ、
前記延設部は透明部材により構成され、該延設部を介して前記流通領域と前記非流通領域とに跨る装飾を視認可能であり、
前記遊技板の前面と前後方向において同じ位置で延出される前記延設部は、前記周壁部から前記遊技板の厚さよりも薄い厚さで延出され、前記周壁部および前記フランジ部とともに一体成形されており、
前記センター役物は、前記周壁部および前記フランジ部も透明な部材により構成され、前記流通領域と前記非流通領域とに跨る前記装飾を前記周壁部、前記フランジ部および前記延設部を介して視認可能である
ことを特徴とする遊技機。
【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
基本的にゼラチン状エラストマーからなる枕クッションであって、当該枕クッションは、当該枕クッションを使用する人の頭及び首を支えるような大きさ及び形態にされており、
第１主面、
第２主面、
前記第１主面と前記第２主面の間にのびている変形可能な壁部材であって、前記変形可能な壁部材の間に空隙を画定することによって変形に際し前記変形可能な壁部材が隣接する空隙の中へ変位することができ、前記枕クッションのクッション性の面へ前記第１主面に垂直の方向に加えられる圧力が閾値圧力レベルを超過すると座屈するように構成されている変形可能な壁部材、及び、
前記ゼラチン状エラストマーの一体の安定化層であって、前記第１主面と前記第２主面の少なくとも一方に平行の方向にのびており、前記第１主面と前記第２主面の間の中間の位置において前記枕クッションの横方向の範囲を横切っている一体の安定化層
を備える枕クッションと、
前記枕クッションを覆っている枕カバーと、
を備えている枕。
【請求項２】
請求項１に記載の枕において、前記枕クッションは、６ポンド（２．７２ｋｇ）乃至１２ポンド（５．４４ｋｇ）のゼラチン状エラストマーを備えている、枕。
【請求項３】
請求項１に記載の枕において、前記枕は前記枕クッションと前記枕カバーの間に何れの追加のクッション性材料も含んでいない、枕。
【請求項４】
請求項３に記載の枕において、前記枕は前記枕クッション及び前記枕カバーからなっている、枕。
【請求項５】
請求項１から請求項４の何れか一項に記載の枕において、枕クッションは、更に、
略平板状第１部分と、
前記第１部分と連結されている略平板状第２部分と、を更に備え、前記第１部分と前記第２部分のそれぞれは、
第１主面、
反対側の第２主面、及び、
前記第１主面と前記反対側の第２主面の間にのびている前記変形可能な壁部材の部分、を備えており、
前記略平板状第１部分内の前記変形可能な壁部材は、それらの間に画定される前記空隙が第１の平均大きさを有するように位置付けられ構成されており、前記略平板状第２部分内の前記変形可能な壁部材は、それらの間に画定される前記空隙が第２の平均大きさを有するように位置付けられ構成されており、前記第１の平均大きさは前記第２の平均大きさより小さい、枕。
【請求項６】
請求項５に記載の枕において、前記第１部分の前記変形可能な壁部材と前記第２部分の前記変形可能な壁部材は単一統合体の一部である、枕。
【請求項７】
請求項５に記載の枕において、前記第１部分内の前記変形可能な壁部材は、前記枕クッションのクッション性の面へ前記第１主面に垂直の方向に加えられる圧力が第１の閾値圧力レベルを超過すると座屈するように構成されており、前記第２部分内の前記変形可能な壁部材は、前記枕クッションのクッション性の面へ前記第１主面に垂直の方向に加えられる圧力が前記第１の閾値圧力レベルとは異なる第２の閾値圧力レベルを超過すると座屈するように構成されている、枕。
【請求項８】
請求項５に記載の枕において、前記第１部分内の前記変形可能な壁部材はそれらの間に三角形空隙の第１のセットを画定するように位置付けられ構成されており、前記第２部分内の前記変形可能な壁部材はそれらの間に三角形空隙の第２のセットを画定するように位置付けられ構成されている、枕。
【請求項９】
請求項８に記載の枕において、前記三角形空隙の第１のセットのうちの少なくとも幾つかは、前記枕クッションの前記第１主面に垂直の方向に前記三角形空隙の第２のセットのうちの前記三角形空隙全てと不整列である、枕。
【請求項１０】
請求項５に記載の枕において、前記第１部分は第１の厚さを有し、前記第２部分は前記第１の厚さとは異なる第２の厚さを有している、枕。
【請求項１１】
請求項１から請求項４の何れか一項に記載の枕において、前記変形可能な壁部材はそれらの間に三角形空隙を画定するように位置付けられ構成されている、枕。
【請求項１２】
請求項１から請求項４の何れか一項に記載の枕において、前記枕クッションは、前記枕クッションの横方向側面にて前記枕クッションの周辺を周って全体的にのびている前記ゼラチン状エラストマーの帯を更に備えている、枕。
【請求項１３】
請求項１から請求項４の何れか一項に記載の枕において、前記ゼラチン状エラストマーの一体の安定化層は、各空隙内の仕切りであって、各空隙を長手方向に整列されたより小さい複数の空隙に分ける仕切りを形成する、枕。
【請求項１４】
請求項１３に記載の枕であって、前記ゼラチン状エラストマーの前記一体の安定化層の両側の前記長手方向に整列されたより小さい複数の空隙の間の前記一体の安定化層を通る空気の流れを許容するために前記一体の安定化層を貫いてのびている開口、を更に備えている枕。
【請求項１５】
請求項１から請求項４の何れか一項に記載の枕であって、前記枕クッションの前記第２主面へ融着されている布地を更に備え、前記布地は前記枕クッションの前記第２主面へ熱融着されている非伸縮性布地を備えている、枕。
【請求項１６】
請求項１又は２に記載の枕であって、前記枕の厚さを増加させるために前記枕クッションの前記第２主面と前記枕カバーの内面の間に配置されているインサート、を更に備えている枕。
【請求項１７】
請求項１６に記載の枕において、前記インサートは、前記枕の厚さを調節するために空気で膨らまされるように及び／又は空気を抜かれるように構成されている膨張式の袋を備えている、枕。
【請求項１８】
請求項１から請求項４の何れか一項に記載の枕において、前記枕カバーは前記枕カバーの一方の主面上に配置されているジッパーを含み、前記ジッパーは全体的に前記枕カバーの前記一方の主面の周辺縁から少なくとも１インチ（２．５４ｃｍ）の距離に位置付けられている、枕。
【請求項１９】
枕を製作する方法において、
基本的にゼラチン状エラストマーからなる枕クッションを形成する段階であって、当該枕クッションは、当該枕クッションを使用する人の頭及び首を支えるような大きさ及び形態にされており、当該枕クッションは、
第１主面、
第２主面、
前記第１主面と前記第２主面の間にのびる変形可能な壁部材であって、前記変形可能な壁部材の間に空隙を画定することによって変形に際し前記変形可能な壁部材が隣接する空隙の中へ変位することができ、前記枕クッションのクッション性の面へ前記第１主面に垂直の方向に加えられる圧力が閾値圧力レベルを超過すると座屈するように構成されている変形可能な壁部材、及び、
前記ゼラチン状エラストマーの一体の安定化層であって、前記第１主面と前記第２主面の少なくとも一方に平行の方向にのびており、前記第１主面と前記第２主面の間の中間の位置において前記枕クッションの横方向の範囲を横切っている一体の安定化層を備えている、
枕クッションを形成する段階と、
前記枕クッションを枕カバーに封入する段階と、
を備えている、枕を製作する方法。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
歯を治療する装置であって、
前記歯に対向して配置される流体プラットフォームであって、前記流体プラットフォームと前記歯の一部とによって少なくとも部分的に画定される空洞を形成する流体プラットフォームと、
前記空洞と連通し、前記空洞内の流体中に、複数の周波数からなる広帯域音響出力スペクトルの音響出力を有する圧力波を生成する圧力波発生器と、
を備え、
前記広帯域音響出力スペクトルの総音響出力の１０％よりも多くが、１００ｋＨｚを超える広帯域音響出力スペクトルに含まれる、
装置。
【請求項２】
前記広帯域音響出力スペクトルは、５０ｋＨｚよりも大きな帯域を有する、請求項１に記載の装置。
【請求項３】
前記流体プラットフォームは開口部を備え、前記圧力波発生器は前記開口部に挿入されるように構成される、請求項１に記載の装置。
【請求項４】
前記圧力波発生器は、流体ジェットを含む、請求項１に記載の装置。
【請求項５】
前記圧力波発生器は衝突面を有し、前記圧力波発生器は前記衝突面に衝突するように構成された液体ジェットを形成するように構成される、請求項１に記載の装置。
【請求項６】
前記液体ジェットに液体を提供するように構成された脱気液源をさらに備える、請求項５に記載の装置。
【請求項７】
前記流体プラットフォームは、流体保持器をさらに備え、
前記流体保持器は、前記圧力波発生器の周囲に配置され、前記歯へのアクセス開口部を実質的に閉鎖するように構成される、請求項１に記載の装置。
【請求項８】
前記流体保持器は、前記空洞内へ空気が流れるのを実質的に阻止するように構成される
、請求項７に記載の装置。
【請求項９】
前記流体保持器はスポンジを含む、請求項７に記載の装置。
【請求項１０】
前記流体プラットフォームは、前記空洞内の流体圧力を調整するための孔を備える、請求項７に記載の装置。
【請求項１１】
前記流体プラットフォームは、前記空洞から流体を除去するための流体出口ポートを備える、請求項１に記載の装置。
【請求項１２】
前記流体プラットフォームは、前記流体出口ポートと流体連通している孔をさらに備える、請求項１１に記載の装置。
【請求項１３】
前記孔は、空気が、前記流体出口ポートを介した前記空洞から除去される流体の流れに伴って移動することを可能にするように構成され、前記孔は、空気の流れが前記空洞に入るのを阻止するように構成される、請求項１２に記載の装置。
【請求項１４】
前記音響出力は、前記広帯域音響出力スペクトルの全周波数にわたって積分された総音響出力の１０％よりも多い音響出力量を有する、請求項１に記載の装置。
【請求項１５】
総音響出力の２５％よりも多くが、１００ｋＨｚを超える広帯域音響出力スペクトルに含まれる、請求項１に記載の装置。
【請求項１６】
前記広帯域音響出力スペクトルは、周波数の３デシベル帯域基準で測定される帯域幅が５０ｋＨｚより大きい、請求項１に記載の装置。
【請求項１７】
歯の治療領域を治療するための装置であって、
内側空洞を備える流体保持器であって、前記内側空洞内に流体を実質的に保持するように前記歯の一部に当接されるように構成された流体保持器と、
前記流体保持器の前記内側空洞に露出しているエネルギー出口を有する圧力発生器であって、複数の周波数からなる広帯域音響出力スペクトルの音響出力を有する圧力波を前記保持された流体内で生成する圧力波発生器と、
を備え、
前記広帯域音響出力スペクトルの総音響出力の１０％よりも多くが、１００ｋＨｚを超える広帯域音響出力スペクトルに含まれる、
前記流体保持器が前記歯に適用された場合に、前記歯の前記治療領域と流体連通するように前記内側空洞が配置され、前記圧力波発生器の前記エネルギー出口は前記歯の外側に配置される、
装置。
【請求項１８】
本体をさらに備え、前記本体は、前記流体保持器と、空気が前記内側空洞に入るのを阻止しつつ前記流体の少なくとも一部が前記内側空洞から出ることを可能にするように構成された１つまたは複数の孔と、を含む、請求項１７に記載の装置。
【請求項１９】
前記１つまたは複数の孔は、少なくともいくらかの空気の流れが、前記内側空洞から出る流体に伴って移動することを可能に構成される、請求項１８に記載の装置。
【請求項２０】
前記本体は、前記内側空洞から流体が流れることを可能にする流体出口をさらに備える、請求項１９に記載の装置。
【請求項２１】
前記流体保持器は、前記圧力波が前記流体内を伝搬するのに十分な量の流体を前記内側空洞に保持するように構成される、請求項１７に記載の装置。
【請求項２２】
前記圧力波発生器によって生成される実質的な量の音響圧力波は、前記内側空洞内に少なくともいくらかの流体キャビテーションを生成するのに十分なエネルギーを保持する、請求項２１に記載の装置。
【請求項２３】
前記流体保持器は流れ制限器を含む、請求項１７に記載の装置。
【請求項２４】
前記流れ制限器はスポンジを含む、請求項２３に記載の装置。
【請求項２５】
前記流れ制限器は孔を含む、請求項２３に記載の装置。
【請求項２６】
前記流体保持器は、空気が前記内側空洞に入るのを阻止するように構成される、請求項１７に記載の装置。
【請求項２７】
前記流体保持器は、少なくとも一つの出口を含む、請求項２６に記載の装置。
【請求項２８】
前記流体保持器は、流体、有機物質、またはこれら両方の前記内側空洞からの漏れを阻止するように構成される、請求項２６に記載の装置。
【請求項２９】
前記流体保持器は、流体の少なくとも一部が前記内側空洞から出るのを可能にするとともに、空気が前記内側空洞に入るのを阻止するように、構成される、請求項１７に記載の装置。
【請求項３０】
前記流体保持器はキャップを含む、請求項１７に記載の装置。
【請求項３１】
前記キャップは、前記キャップが前記内側空洞へのアクセス開口部を閉鎖するように、前記内側空洞の周りに配置される、請求項３０に記載の装置。
【請求項３２】
前記キャップは、前記歯の歯シール領域に配置されるように構成される、請求項３１に記載の装置。
【請求項３３】
前記キャップは、平面を有する歯シールに一致する平面を含む、請求項３２に記載の装置。
【請求項３４】
前記流体保持器は、前記内側空洞の周囲にかつ前記キャップ内に配置されるように構成された流れ制限器を有する、請求項３１に記載の装置。
【請求項３５】
前記キャップは、流体の制限された進入および排出を可能にするように前記内側空洞を封止する、請求項３１に記載の装置。
【請求項３６】
前記流体保持器は、前記歯内の流体圧力を所定圧力レベル未満の圧力に維持するように構成される、請求項１７に記載の装置。
【請求項３７】
前記圧力波発生器は、流体ジェットを含む、請求項１７に記載の装置。
【請求項３８】
前記音響出力は、前記広帯域音響出力スペクトルの全周波数にわたって積分された総音響出力の１０％よりも多い音響出力量を有する、請求項１７に記載の装置。
【請求項３９】
総音響出力の２５％よりも多くが、１００ｋＨｚを超える広帯域音響出力スペクトルに含まれる、請求項１７に記載の装置。
【請求項４０】
前記広帯域音響出力スペクトルは、周波数の３デシベル帯域基準で測定される帯域幅が５０ｋＨｚより大きい、請求項１７に記載の装置。
【手続補正書】
【提出日】令和2年8月20日(2020.8.20)
【手続補正１】
【補正対象書類名】特許請求の範囲
【補正対象項目名】全文
【補正方法】変更
【補正の内容】
【特許請求の範囲】
【請求項１】
スピンコーティング装置であって、
ベースプレートおよび複数のロッキングピンを含むベースプレートアセンブリと、
基板材料が配置されるように構成されたスピンチャックであって、前記基板材料は上面および下面を含み、前記上面はフィルム形成物質でコーティングされるように構成された面であり、前記スピンチャックは、前記ベースプレートアセンブリの複数の前記ロッキングピンに対応する複数のキースロットを含む、スピンチャックと、
前記ベースプレートアセンブリの複数の前記ロッキングピンが前記スピンチャックの複数の前記キースロットと係合することで前記ベースプレートを前記スピンチャックと係合させるように構成されたアクチュエータ機構であって、前記ベースプレートが前記スピンチャックと同期して回転するように構成されており、前記ベースプレートが前記スピンチャックと係合している状態でも、前記ベースプレートが前記スピンチャックの完全に下にある、アクチュエータ機構と、
前記ベースプレートが前記スピンチャックと係合している状態では、前記ベースプレートの下にあり、前記基板材料の前記下面およびその縁部に最適露出していない、クリーニングノズルと、
前記ベースプレートと係合し、前記スピンチャックと共に前記ベースプレートが同期回転中に前記ベースプレートと同期して共回転するように構成された蓋であって、前記蓋と前記ベースプレートとの係合および前記同期回転は、前記基板材料の前記上面全体に前記フィルム形成物質を分配するための低タービュランス環境を可能にする、蓋と、
を含み、
前記アクチュエータ機構はさらに、
前記ベースプレートからの前記蓋の離脱に応答して、前記ベースプレートの複数の前記ロッキングピンを前記スピンチャック複数の前記キースロットから離脱させて前記スピンチャックを前記ベースプレートから解放するように構成され、
前記ベースプレートの下降は係止点に進み、前記クリーニングノズルが前記基板材料の前記下面およびその前記縁部に最適に露出されるように、前記ベースプレート下にある前記クリーニングノズルの一部が、前記ベースプレートの穴を通過し、前記ベースプレートから完全に外に出るように構成される、
スピンコーティング装置。
【請求項２】
前記基板材料は半導体ウェハである、請求項１に記載のスピンコーティング装置。
【請求項３】
前記アクチュエータ機構がエアシリンダと関連付けられ、前記エアシリンダは、
前記スピンチャックへの上方への前記ベースプレートの移動に基づいて前記ベースプレートと前記スピンチャックとの係合を可能にするように加圧され、
前記スピンチャックからの前記ベースプレートの離脱を可能にするために圧力を解放する、ように構成される、
請求項１に記載のスピンコーティング装置。
【請求項４】
前記スピンチャックは、その回転軸として機能するように構成されたスピンドルチューブと関連している、請求項３に記載のスピンコーティング装置。
【請求項５】
前記フィルム形成物質はフォトレジスト材料である、請求項１に記載のスピンコーティング装置。
【請求項６】
前記クリーニングノズルが、エッジビード除去（Ｅｄｇｅ  Ｂｅａｄ  Ｒｅｍｏｖａｌ）（ＥＢＲ）ノズルである、請求項１に記載のスピンコーティング装置。
【請求項７】
前記スピンドルチューブの周りのスリーブは、前記スピンチャックへの上方への前記ベースプレートの移動を可能にするために、前記エアシリンダを通る加圧に基づいて持ち上げられるように構成される、請求項４に記載のスピンコーティング装置。
【手続補正２】
【補正対象書類名】明細書
【補正対象項目名】発明の名称
【補正方法】変更
【補正の内容】
【発明の名称】スピンコーティング装置
【手続補正書】
【提出日】令和2年5月12日(2020.5.12)
【手続補正１】
【補正対象書類名】特許請求の範囲
【補正対象項目名】全文
【補正方法】変更
【補正の内容】
【特許請求の範囲】
【請求項１】
モジュールガラスパネルにおいて、
０．５ｍｍ〜２．０ｍｍの範囲の厚さおよび外周を有する少なくとも１つのガラスシートを有するガラス構造物と、
前記ガラス構造物に隣接して位置決めされて前記ガラス構造物の前記外周に沿って配置される支持フレームと、
前記支持フレームと一緒に前記ガラス構造物に付着する、前記ガラス構造物と前記支持フレームとの中間のポリマー層と
を備え、
前記支持フレームが、光源、発光ダイオード（ＬＥＤ）、ＬＥＤアレイ、照明器具、スピーカー、マイクロホン、発光ファイバー、レーザー、ディスプレイ、電子デバイス、およびそれらの組合せからなる群から選択されるデバイスを含有する空間を画定し、
ガラス組成物は、６３．５〜６６．５モル％のＳｉＯ２、８〜１２モル％のＡｌ２Ｏ３、０〜３モル％のＢ２Ｏ３、０〜５モル％のＬｉ２Ｏ、８〜１８モル％のＮａ２Ｏ、０〜５モル％のＫ２Ｏ、１〜７モル％のＭｇＯ、０〜２．５モル％のＣａＯ、０〜３モル％のＺｒＯ２、０．０５〜０．２５モル％のＳｎＯ２、０．０５〜０．５モル％のＣｅＯ２、５０ｐｐｍ未満のＡｓ２Ｏ３、および５０ｐｐｍ未満のＳｂ２Ｏ３を含み、そこで１４モル％≦（Ｌｉ２Ｏ＋Ｎａ２Ｏ＋Ｋ２Ｏ）≦１８モル％および２モル％≦（ＭｇＯ＋ＣａＯ）≦７モル％であることを特徴とする、モジュールガラスパネル。
【請求項２】
前記少なくとも１つのガラスシートの厚さが、０．５ｍｍ〜１．５ｍｍの範囲であることを特徴とする、請求項１に記載のモジュールガラスパネル。
【請求項３】
前記ガラス構造物が、前記少なくとも１つのガラスシートおよび該少なくとも１つのガラスシートとの間にポリマー中間層を有する第２のガラスシートをさらに含むことを特徴とする、請求項１に記載のモジュールガラスパネル。
【請求項４】
前記少なくとも１つのガラスシートが化学強化ガラスシートであることを特徴とする、請求項１に記載のモジュールガラスパネル。
【請求項５】
前記第２のガラスシートが、化学強化ガラスシート、ソーダ石灰ガラスシート、および焼入れされたモノリシックガラスシートからなる群から選択されることを特徴とする、請求項４に記載のモジュールガラスパネル。
【請求項６】
前記少なくとも１つのガラスシートが、前記支持フレームに隣接していることを特徴とする、請求項５に記載のモジュールガラスパネル。
【請求項７】
前記中間のポリマー層が、ポリビニルブチラール（ＰＶＢ）、エチレンビニルアセテート（ＥＶＡ）、熱可塑性ポリウレタン（ＴＰＵ）、ポリエチレンテレフタレート（ＰＥＴ）、およびそれらの組合せからなる群から選択されることを特徴とする、請求項４に記載のモジュールガラスパネル。
【請求項８】
前記支持フレームが、前記ガラス構造物に隣接した丸い内部端を有する略矩形断面、前記ガラス構造物に隣接した丸い内部端を有する略四角形断面、円形断面、ドーム形断面、前記ガラス構造物に隣接した丸い内部端および外部端を有する略矩形断面、前記ガラス構造物に隣接した丸い内部端および外部端を有する略四角形断面、非対称断面、対称断面からなる群から選択される断面を有することを特徴とする、請求項１に記載のモジュールガラスパネル。
【請求項９】
前記支持フレームが、ポリ塩化ビニル、ポリカーボネート、ガラス、フェノール樹脂材料、鋼、木、アルミニウム、セラミックおよびそれらの組合せからなる群から選択される材料を有することを特徴とする、請求項１に記載のモジュールガラスパネル。
【請求項１０】
前記支持フレームが、アルミニウム、鋼、セラミック、ポリマー、黒鉛、炭素、およびそれらの組合せからなる群から選択される材料を有するハニカム支持材を含むことを特徴とする、請求項１に記載のモジュールガラスパネル。
【請求項１１】
前記少なくとも１つのガラスシートの厚さが、０．５ｍｍ〜０．７ｍｍの範囲であることを特徴とする、請求項１に記載のモジュールガラスパネル。
【請求項１２】
前記支持フレームが取付けメカニズムを有し、前記モジュールガラスパネルが、壁、エレベーターかご、ロビー、天井、廊下、入口通路、および部屋からなる群から選択される平面表面に取り外し可能に取り付けられていることを特徴とする、請求項１に記載のモジュールガラスパネル。
【請求項１３】
前記取付けメカニズムが、本ざねはぎ型の設計（ｔｏｎｇｕｅ  ｉｎ  ｇｒｏｏｖｅ  ｔｙｐｅ  ｄｅｓｉｇｎｓ）、クリップ設計、点結合、コーナーフレームのほぞ穴、フィルムおよび接着剤からなる群から選択されることを特徴とする、請求項１２に記載のモジュールガラスパネル。
【請求項１４】
請求項１２に記載のモジュールガラスパネルを有する建築構造であって、前記支持フレームが、前記取付けメカニズムにより前記平面表面に取り外し可能に取り付けられていることを特徴とする、建築構造。
【手続補正書】
【提出日】令和1年12月23日(2019.12.23)
【手続補正１】
【補正対象書類名】特許請求の範囲
【補正対象項目名】全文
【補正方法】変更
【補正の内容】
【特許請求の範囲】
【請求項１】
樹脂成形用のキャビティを形成するための型面を有する樹脂成形金型であって、
前記型面から突出可能に構成され、前記キャビティによって成形された樹脂成形品を前記型面から離型させるエジェクタピンと、
前記エジェクタピンの基端部と接触するよう設けられ、前記樹脂成形品の離型時に前記エジェクタピンを介して受けた荷重を測定可能な離型力測定機構と、
前記離型力測定機構で測定した前記荷重に基づいて離型不良を判定するデータ収集解析手段と
を備え、
前記離型力測定機構は、前記荷重を歪みに変換する起歪体と、前記起歪体の歪み部位に貼り付けられた歪ゲージとを備え、
前記起歪体は、前記樹脂成形金型に相対移動不能に固定された固定側端部と、前記エジェクタピンの基端部に接触するよう設けられた可動側端部と、前記固定側端部から前記可動側端部に亘って前記エジェクタピンの軸方向と交差する方向に延びる上下一対の平行ビーム部とを有し、
前記上下一対の平行ビーム部は、それぞれ、前記固定側端部との境界部分及び前記可動側端部との境界部分に、前記歪み部位となる肉薄部が形成されており、
前記歪ゲージは、前記上下一対の平行ビーム部の前記肉薄部にそれぞれ貼り付けられており、
前記エジェクタピンは、１つの前記キャビティに対して複数設けられており、
前記起歪体及び前記歪ゲージは、１つの前記キャビティに対して設けられた前記複数のエジェクタピンの少なくとも２つ以上に設けられており、
前記データ収集解析手段は、下記（１）から（６）の少なくとも一つの条件を用いて離型不良と判定するよう構成されている
ことを特徴とする樹脂成形金型。
（１）測定した前記荷重の単発的な値
（２）所定サイクル又は所定時間内に測定した前記荷重の平均値
（３）測定した前記荷重の値と直前の前記（２）の平均値との差
（４）測定した前記荷重の上昇率
（５）前記（２）の平均値の上昇率
（６）複数の前記起歪体及び前記歪ゲージによって測定した前記荷重の差
【請求項２】
表面に前記型面を有し、裏面から前記型面に亘って前記エジェクタピンが挿通可能な貫通孔が形成された金型本体と、
前記金型本体の裏面側に離間して設けられたベースプレートと、
前記金型本体と前記ベースプレートとの間において該金型本体の裏面に対して進退移動可能に設けられ、前記貫通孔と整合する位置に前記エジェクタピンが配されたエジェクタピンホルダと、
前記金型本体と前記ベースプレートとを連結するよう設けられ、前記ベースプレートの熱を前記金型本体に伝達可能な伝熱部材と
を更に備え、
前記起歪体の前記固定側端部は、前記エジェクタピンホルダに固定されており、
前記エジェクタピンホルダ及び前記起歪体は、前記ベースプレートから離間して設けられている
ことを特徴とする請求項１に記載の樹脂成形金型。
【請求項３】
前記エジェクタピンホルダは、前記金型本体の前記貫通孔と整合する位置に表面から裏面に亘って貫通し、前記エジェクタピンの基端部を収容可能な貫通孔が形成されており、
前記起歪体の前記固定側端部は、前記エジェクタピンホルダの裏面に固定されており、
前記起歪体の前記可動側端部は、前記エジェクタピンホルダの前記貫通孔内において前記エジェクタピンの基端部と接触している
ことを特徴とする請求項２に記載の樹脂成形金型。
【請求項４】
請求項１〜３いずれか１項に記載の樹脂成形金型と、
前記キャビティに樹脂を供給するトランスファ機構と
を備えることを特徴とする樹脂成形装置。